(57)【要約】【課題】最も外側の粘着シートをめくる際に、ユーザの作業性を向上することができる粘着ロール体を提供する。【解決手段】粘着ロール体３は、巻き芯４と、巻き芯４に巻かれる複数の粘着シート５と、を備える。各粘着シート５は長さに沿う方向が、中心軸を中心に螺旋状に延びている。各粘着シート５は、幅方向の一方の端縁部である第一端縁部５１と、幅方向の他方の端縁部である第二端縁部５２と、第一端縁部５１と第二端縁部５２との間に位置する中間部５４と、を有する。各粘着シート５は、巻き芯４に対し、第一端縁部５１と第二端縁部５２との間に隙間３１がある状態で巻かれている。第一端縁部５１の色と中間部５４の色とは、異なる色に形成されている。【選択図】図１
2020188867.tif 000002
【特許請求の範囲】
【請求項１】
ホルダに取り付けられる巻き芯と、
前記巻き芯に巻かれ、前記巻き芯の径方向に重なる複数の粘着シートと、
を備え、
前記複数の粘着シートの各々は前記巻き芯の中心軸方向の寸法よりも短い幅及び前記幅に直交する長さを有し、前記粘着シートの長さに沿う方向が前記中心軸を中心に螺旋状に延びた粘着ロール体であって、
前記各粘着シートは、
幅方向の一方の端縁部である第一端縁部と、
前記幅方向の他方の端縁部である第二端縁部と、
前記第一端縁部と前記第二端縁部との間に位置する中間部と、
を有し、
前記各粘着シートは、巻かれた状態において、前記中心軸方向に並ぶ前記第一端縁部と前記第二端縁部との間に隙間があり、
前記第一端縁部の色と前記中間部の色とは、異なる色に形成されている、
粘着ロール体。
【請求項２】
前記第二端縁部の色と前記中間部の色とは、異なる色に形成されている、
請求項１記載の粘着ロール体。
【請求項３】
前記第一端縁部の色と前記第二端縁部の色とは、互いに同じ色に形成されている、
請求項２記載の粘着ロール体。
【請求項４】
前記第一端縁部、前記第二端縁部及び前記中間部の色の色相は、１００分割マンセル色相環において、５ＰＢ±３６°の角度の範囲内にある、
請求項１〜３のいずれか一項に記載の粘着ロール体。
【請求項５】
前記巻き芯が合成樹脂製である、
請求項１〜４のいずれか一項に記載の粘着ロール体。
【請求項６】
前記複数の粘着シートが合成樹脂製の基材フィルムを含む、
請求項１〜５のいずれか一項に記載の粘着ロール体。
【発明の詳細な説明】
【技術分野】
【０００１】
本発明は、粘着ロール体に関する。
【背景技術】
【０００２】
特許文献１には、従来の粘着ロール体（特許文献１では、粘着ロール）が記載されている。特許文献１に記載の粘着ロール体では、筒の心棒に対して、シート状の粘着ロールが巻かれている。粘着ロール体には、螺旋状にカットがなされている。
【先行技術文献】
【特許文献】
【０００３】
【特許文献１】特開２０１３−３１６２１号公報
【発明の概要】
【発明が解決しようとする課題】
【０００４】
ところで、特許文献１に記載の粘着ロール体では、シート状の粘着ロールの色が全面にわたって均一である。このため、最も外側の粘着ロールを剥がそうとする際に、最も外側の粘着ロールの縁が見つかりにくく、めくる際の作業性が悪い、という問題がある。
【０００５】
本発明は、上記事情に鑑みてなされ、最も外側の粘着シートをめくる際に、ユーザの作業性を向上することができる粘着ロール体を提供することを目的とする。
【課題を解決するための手段】
【０００６】
上記目的を達成するため、本発明は、次の項に記載の主題を包含する。
【０００７】
項１．ホルダに取り付けられる巻き芯と、
前記巻き芯に巻かれ、前記巻き芯の径方向に重なる複数の粘着シートと、
を備え、
前記複数の粘着シートの各々は前記巻き芯の中心軸方向の寸法よりも短い幅及び前記幅に直交する長さを有し、前記粘着シートの長さに沿う方向が前記中心軸を中心に螺旋状に延びた粘着ロール体であって、
前記各粘着シートは、
幅方向の一方の端縁部である第一端縁部と、
前記幅方向の他方の端縁部である第二端縁部と、
前記第一端縁部と前記第二端縁部との間に位置する中間部と、
を有し、
前記各粘着シートは、巻かれた状態において、前記中心軸方向に並ぶ前記第一端縁部と前記第二端縁部との間に隙間があり、
前記第一端縁部の色と前記中間部の色とは、異なる色に形成されている、粘着ロール体。
【０００８】
項２．前記第二端縁部の色と前記中間部の色とは、異なる色に形成されている、項１記載の粘着ロール体。
【０００９】
項３．前記第一端縁部の色と前記第二端縁部の色とは、互いに同じ色に形成されている、項２記載の粘着ロール体。
【００１０】
項４．前記第一端縁部、前記第二端縁部及び前記中間部の色の色相は、１００分割マンセル色相環において、５ＰＢ±３６°の角度の範囲内にある、項１〜３のいずれか一項に記載の粘着ロール体。
【００１１】
項５．前記巻き芯が合成樹脂製である、項１〜４のいずれか一項に記載の粘着ロール体。
【００１２】
項６．前記複数の粘着シートが合成樹脂製の基材フィルムを有する、項１〜５のいずれか一項に記載の粘着ロール体。
【発明の効果】
【００１３】
本発明に係る上記態様の粘着ロール体は、最も外側の粘着シートをめくる際に、ユーザの作業性を向上することができる、という利点がある。
【図面の簡単な説明】
【００１４】
【図１】図１は、本発明の一実施形態に係る粘着式クリーナの斜視図である。
【図２】図２は、同上のホルダの斜視図である。
【図３】図３は、同上の粘着ロール体の斜視図である。
【図４】図４は、同上の粘着シートの平面図である。
【図５】図５は、マンセル色相環の概略図である。
【図６】図６は、製造方法の一例を示す概略図である。
【発明を実施するための形態】
【００１５】
（１）実施形態
（１．１）全体構成
以下、本実施形態に係る粘着ロール体３について、詳細に説明する。
【００１６】
本実施形態に係る粘着ロール体３は、図１に示すように、ホルダ２に取り付けられて使用される。以下では、ホルダ２に対して粘着ロール体３が取り付けられたものを「粘着式クリーナ１」という。
【００１７】
本実施形態に係る粘着式クリーナ１は、例えば、食品工場、クリーンルーム等（以下、食品工場等という）の入り口に配置される。本実施形態に係る粘着式クリーナ１では、ユーザがホルダ２のハンドル２１を持ち、粘着ロール体３を衣服等の表面に接触させながら、衣服等に沿って移動させることで、粘着ロール体３を回転させる。このとき、粘着ロール体３の粘着面は、衣服等に対して、部分的に、順次、接着と剥離とを繰り返し、衣服等に付着した糸くず等を取り除く。これによって、本実施形態に係る粘着式クリーナ１によれば、ユーザは、衣服等に付着していた糸くず等を取り除いた状態で、食品工場等の内部に入ることができる。ここでいう「糸くず等」には、糸くずのほか、例えば、紙くず、ほこり、毛、ごみ等が含まれる。
【００１８】
粘着式クリーナ１は、図１に示すように、ホルダ２と、粘着ロール体３と、を備える。以下では、特に断りのない限り、粘着式クリーナ１の糸くず等を取り除く対象となる面（対象面という場合がある）が鉛直面であるとして説明する。また、粘着式クリーナ１が移動する方向を「前後方向」として定義し、前後方向に直交し、かつ対象面に沿う方向を「左右方向」として定義する。なお、これらの方向の定義は、粘着式クリーナ１及び粘着ロール体３の使用態様を限定する趣旨ではない。図面中の各方向を示す矢印は、説明のために表記しているに過ぎず、実体を伴わない。
【００１９】
（１．２）ホルダ
ホルダ２には、粘着ロール体３が取り付けられる。本実施形態に係るホルダ２は、図２に示すように、ハンドル２１と、アーム２２と、回転体２３と、を備える。
【００２０】
ハンドル２１は、ホルダ２においてユーザが持つ部分である。本実施形態に係るハンドル２１は略円柱状に形成されており、ハンドル２１の長手方向は前後方向に略平行である。ただし、ハンドル２１は略円柱状に限らず、例えば、円錐状、円錐台状、多角柱状、板状に形成されてもよいし、線材を折り返して形成されてもよい。また、ハンドル２１の長手方向は前後方向に略平行でなくてもよく、左右方向に略平行であってもよい。
【００２１】
アーム２２は、回転体２３を支える部分である。本実施形態に係るアーム２２は、アーム本体部２２１と、シャフト部２２２と、を備える。アーム本体部２２１とシャフト部２２２とは、本実施形態では、一の線材を曲げ加工することで形成されており、要するに、アーム本体部２２１とシャフト部２２２とは一体に形成されている。
【００２２】
アーム本体部２２１は、アーム２２の主体を構成する。本実施形態に係るアーム本体部２２１は、略クランク状に形成されている。シャフト部２２２は、回転体２３が取り付けられる部分である。本実施形態に係るシャフト部２２２は、棒状に形成されており、シャフト部２２２の長手方向は、左右方向に略平行である。
【００２３】
回転体２３は、シャフト部２２２に対して回転可能に取り付けられる部材である。回転体２３の回転軸は、シャフト部２２２の中心軸と同じであり、左右方向に略平行である。回転体２３には、粘着ロール体３が取り付けられる。本実施形態に係る回転体２３は、円筒状に形成されており、粘着ロール体３の巻き芯４の内部に通される。
【００２４】
（１．３）粘着ロール体
粘着ロール体３は、粘着面を持ち、ホルダ２に取り付けられる部材である。本実施形態に係る粘着ロール体３は、ホルダ２に対して取外し可能に取り付けられており、粘着シート５がなくなった場合等に、ホルダ２から取り外すことができる。要するに、本実施形態に係る粘着式クリーナ１では、粘着ロール体３を交換し得る。粘着ロール体３は、図３に示すように、巻き芯４と、複数の粘着シート５と、を備える。
【００２５】
巻き芯４は、粘着ロール体３の芯となる部分である。巻き芯４は、回転体２３に取り付けられる。本実施形態に係る巻き芯４は、円筒状に形成されており、巻き芯４の中心軸が回転体２３の回転軸と同じである。
【００２６】
本実施形態に係る巻き芯４は、合成樹脂製である。巻き芯４を形成する合成樹脂としては、例えば、ＡＢＳ（Acrylonitrile Butadiene Styrene）樹脂、ＰＳ（polystyrene）、ＰＥ（polyethylene）、ＰＰ（polypropylene）、ベークライト、ＦＲＰ（fiber reinforced plastic）及びポリ乳酸等の生分解性プラスチックス等が挙げられる。
本実施形態に係る粘着式クリーナ１では、巻き芯４が合成樹脂で形成されることで、巻き芯４が紙管である場合に生じ得る紙紛の発生を抑えることができる。
【００２７】
ただし、本開示に係る巻き芯４は、合成樹脂製でなくてもよく、例えば、金属製、カーボン製、ゴム製等であってもよいし、紙製（紙管）であってもよい。
【００２８】
本実施形態に係る巻き芯４は、左右方向（回転軸に沿う方向）の寸法は、巻き芯４の直径よりも長く形成されている。本実施形態に係る巻き芯４の左右方向の寸法は、一例として、直径に対し２倍以上６倍以下に形成される。ただし、巻き芯４の左右方向の寸法には特に制限はない。
【００２９】
各粘着シート５は、一面に（外表面）粘着面を有し、巻き芯４に巻かれている。本実施形態に係る粘着シート５は、図４に示すように、一方向に長手方向を有する。以下では、各粘着シート５において、長手方向を「長さ方向」とし、長さ方向に直交する方向を「幅方向」として定義する。
【００３０】
粘着シート５は、長手方向に沿った一対の長端縁５３と、一対の端縁同士をつなぐ一対の短端縁５５と、を備える。一対の長端縁５３は、互いに略平行である。また、一対の短端縁５５は、互いに略平行である。各短端縁５５は、各長端縁５３に対して傾斜している。したがって、本実施形態に係る粘着シート５は平面視略平行四辺形状に形成されている。粘着シート５の幅寸法は、巻き芯４の中心軸方向の寸法よりも短い。
【００３１】
本実施形態に係る粘着シート５は、合成樹脂製の基材フィルムを有する。本実施形態に係る粘着シート５は、合成樹脂製の基材フィルムの一面に、粘着層を設けることで形成されている。合成樹脂製の基材フィルムとしては、例えば、ＰＥ（polyethylene）、ポリ塩化ビニル、ポリ塩化ビニリデン、ポリビニルアルコール、ＰＰ（polypropylene）、ＰＥＴ（polyethylene terephthalate）、ポリカーボネイト、ポリスチレン、ポリアクリロニトリル、エチレン酢酸ビニル共重合体、エチレン‐ビニルアルコール共重合体、エチレン‐メタクリル酸共重合体、ポリアミド及びポリ乳酸等の生分解性プラスチックス等が挙げられる。
【００３２】
ここで、本開示でいう「フィルム」とは、０より大きく、かつ２００μｍ以下の厚みを有する材料を意味し、「シート」はフィルムだけでなく、フィルムよりも厚い材料も含む。また、本開示に係る粘着シート５が有する基材フィルムは、合成樹脂製に限らず、例えば、紙製、ゴム製等も含む。
【００３３】
各粘着シート５は、図４に示すように、第一端縁部５１と、第二端縁部５２と、中間部５４と、を備える。第一端縁部５１は、粘着シート５における幅方向の一方の端縁部である。本実施形態に係る第一端縁部５１は、一対の長端縁５３のうちの一方の長端縁５３を含む、幅方向に一定の範囲を持つ部分を意味する。第一端縁部５１は、粘着シート５の長さ方向の全長にわたって形成されている。本実施形態に係る第一端縁部５１は、中間部５４及び第二端縁部５２と共に、粘着シート５の粘着面を形成する。
【００３４】
第二端縁部５２は、粘着シート５における幅方向の端縁部のうち、第一端縁部５１とは反対側の端縁部である。本実施形態に係る第二端縁部５２は、一対の長端縁５３のうちの他方の長端縁５３を含む、幅方向に一定の範囲を持つ部分を意味する。第二端縁部５２は、粘着シート５の長さ方向の全長にわたって形成されている。第二端縁部５２の幅は、本実施形態では、第一端縁部５１の幅と略同じ寸法である。
【００３５】
中間部５４は、第一端縁部５１と、第二端縁部５２との間に位置する部分である。言い換えると、第一端縁部５１は中間部５４の幅方向の一方の端に設けられ、第二端縁部５２は中間部５４の幅方向の他方の端に設けられている。本実施形態に係る中間部５４の幅方向の寸法（幅寸法）は、第一端縁部５１の幅寸法及び第二端縁部５２の幅寸法よりも広い（大きい）。
【００３６】
本実施形態に係る粘着シート５は、少なくとも外側の表面（粘着面）に色を有する。粘着シート５への着色の方法は、例えば、印刷、塗装、着色剤を混入した一体成形等が挙げられる。第一端縁部５１、第二端縁部５２及び中間部５４の色の色相は、本実施形態では、１００分割マンセル色相環において、５ＰＢ±３６°の角度の範囲Ｈ１内にある。
【００３７】
ここで、１００分割マンセル色相環を、図５に示す。１００分割マンセル色相環では、色相を、記号（Ｒ、Ｙ、Ｇ、Ｂ又はＰ）と数字（１，２，…１０）との組み合わせで示している。１００分割マンセル色相環において、「Ｒ」は赤を示し、「Ｙ」は黄を示し、「Ｇ」は緑を示し、「Ｂ」は青を示し、「Ｐ」は紫を示している。また、「Ｒ」「Ｙ」「Ｇ」「Ｂ」「Ｐ」の中間色を、「ＹＲ」「ＧＹ」「ＢＧ」「ＰＢ」「ＰＲ」として示す。各色相を中心に１０等分することで、１００分割されている。
【００３８】
１００分割マンセル色相環において、色相が５ＰＢ±３６°の角度の範囲Ｈ１内とは、言い換えると、図５に示すように、時計回り方向（右回り方向）において、「５Ｂ」から「５Ｐ」の範囲のことである。ここでは、色相が「５Ｂ」及び「５Ｐ」である場合も含むこととする。
【００３９】
１００分割マンセル色相環において、５ＰＢ±３６°の角度の範囲Ｈ１内の色相は、自然に存在する色としては稀少であり、人工的な色であることが知られている。このため、粘着シート５からその一部がちぎれたり、紙粉が生じたりした場合であって、食品等への混入が生じた際に、紙粉や破片等が混入したことが目立ちやすい。要するに、本実施形態に係る粘着式クリーナ１では、第一端縁部５１、第二端縁部５２及び中間部５４の色の色相が、１００分割マンセル色相環において、５ＰＢ±３６°の角度の範囲Ｈ１内に設定されているため、粘着シート５の一部が食品等に混入していないか判別する際に利点がある。
【００４０】
紙粉や破片が食品等に混入した場合の判別容易性の観点から、第一端縁部５１、第二端縁部５２及び中間部５４の色の色相は、１００分割マンセル色相環において、５ＰＢ±１８°の角度の範囲内であることがより好ましい。また紙粉等が比較的生じやすい第一端縁部５１及び第二端縁部５２の色は、ＤＩＣカラーガイド１７版のＤＩＣ−１８１、ＤＩＣ−１８２、ＤＩＣ−１８３のいずれかであることが更に好ましい。
【００４１】
本実施形態に係る第一端縁部５１と第二端縁部５２とは、互いに同じ色に形成されている。ここでいう「同じ色」とは、色相、明度及び彩度のいずれもが同じであることを意味する。ここでいう「同じ」とは、マンセル表色系における基準を用いて、整数部分が共通すれば「同じ」範疇である。第一端縁部５１と第二端縁部５２とが同じ色であると、製造性を向上させることができる。例えば、図６に示すように、一のシート６から複数の粘着シート５を切り出す際に、帯状の着色部６１の幅方向の中間部分６２を切断するだけで、幅方向の両側に第一端縁部５１及び第二端縁部５２を持つ粘着シート５を形成することができる（実際には、この後、長さ方向の両端を、長さ方向に対して傾斜するようにカットする）。
【００４２】
また、第一端縁部５１の色と中間部５４の色とは、異なる色に形成されている。ここでいう「異なる色」とは、色相、明度及び彩度のうちの少なくとも一つが異なることを意味する。本実施形態では、第一端縁部５１の色と中間部５４の色とは、明度及び彩度で異なっている。
【００４３】
本実施形態に係る粘着シート５は、図３に示すように、粘着シート５の長さに沿う方向が、巻き芯４の中心軸を中心にして、螺旋状に延びている。要するに、本実施形態に係る粘着シート５は、巻き芯４に螺旋状に巻かれている。一の粘着シート５によって、粘着ロール体３の一の粘着面が形成されている。そして、複数の粘着シート５が、巻き芯４の径方向に重なっている。
【００４４】
このとき、図１に示すように、各粘着シート５は、巻き芯４に対し、第一端縁部５１と第二端縁部５２との間に隙間３１がある状態で巻かれている。この隙間３１の幅は、例えば、０ｍｍより大きく４ｍｍ以下であることが好ましい。
【００４５】
本実施形態に係る粘着ロール体３では、上側の粘着シート５で形成する隙間３１は、図３に示すように、下側の粘着シート５で形成する隙間３１に対し、中心軸周りにずれている。したがって、上側の粘着シート５で形成する隙間３１からは、下側に配置された粘着シート５の中間部５４が露出する。このため、本実施形態に係る粘着ロール体３によれば、第一端縁部５１又は第二端縁部５２が、中間部５４との対比で目立ちやすく、ユーザは第一端縁部５１をめくりやすい。したがって、例えば、粘着シート５の粘着面の粘着力が弱くなった際、粘着シート５をはがすときに、ユーザは作業性よくめくることができる。
【００４６】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００４７】
上記実施形態に係る粘着式クリーナ１は、食品工場等の入り口に用いられたが、本開示では、これに限らず、カーペットや衣類等を対象とする日用品としての粘着式クリーナであってもよい。
【００４８】
上記実施形態に係るホルダ２は、シャフト部２２２に対して回転可能に取り付けられた回転体２３を有していたが、本開示では、回転体２３はなくてもよい。例えば、粘着ロール体３の巻き芯４がシャフト部２２２に対して取り付けられ、巻き芯４の内周面がシャフト部２２２の外周面に対して擦りながら回転してもよい。
【００４９】
上記実施形態に係るホルダ２は、ハンドル２１を有するホルダ２であったが、本開示では、粘着式クリーナ１が取り付けられればよく、ハンドル２１はなくてもよい。
【００５０】
上記実施形態に係るアーム２２は、ハンドル２１に対して直交するシャフト部２２２を有したが、シャフト部２２２は、ハンドル２１に対して略平行であってもよい。また、シャフト部２２２は、ハンドル２１の長手方向に対して傾斜していてもよい。
【００５１】
上記実施形態に係る粘着シート５では、隣り合う端縁部のうち、右側の端縁部が第一端縁部５１であり、左側の端縁部が第二端縁部５２であったが、本開示に係る粘着シート５では、隣り合う端縁部のうち、右側の端縁部が第二端縁部５２であり、左側の端縁部が第一端縁部５１であってもよい。
【００５２】
上記実施形態に係る粘着シート５は、色相が１００分割マンセル色相環において、５Ｂ±３６°の角度の範囲内にあったが、本開示に係る粘着シート５は、例えば、「５Ｙ」の色相を有してもよく、上記実施形態の色に制限されない。
【００５３】
上記実施形態に係る粘着シート５は、第一端縁部５１の色と第二端縁部５２の色とは、互いに同じ色に形成されていたが、本開示ではこれに制限されず、第二端縁部５２の色と中間部５４の色とが同じ色に形成され、第一端縁部５１の色と第二端縁部５２の色とが異なる色に形成されてもよい。
【００５４】
上記実施形態に係る粘着ロール体３では、粘着シート５が、巻き芯４の中心軸を中心に、１回転以上、螺旋状に巻かれたが、本開示に係る粘着ロール体３では、粘着シート５は、巻き芯４に対し、１回転に満たない巻き数で巻かれてもよいし、２回転以上巻かれてもよい。
【００５５】
本開示にて、「略平行」、又は「略直交」のように「略」を伴った表現が、用いられる場合がある。例えば、「略平行」とは、実質的に「平行」であることを意味し、厳密に「平行」な状態だけでなく、数％程度の誤差を含む意味である。他の「略」を伴った表現についても同様である。
【００５６】
また、本開示において「端縁部」及び「端縁」などのように、「…縁部」と「…縁」とで区別した表現が用いられている。例えば、「端縁部」とは、「端縁」を含む一定の範囲を持つ部分を意味する。他の「…縁部」を伴った表現についても同様である。
【００５７】
（３）態様
以上説明したように、第１の態様に係る粘着ロール体３は、ホルダ２に取り付けられる巻き芯４と、巻き芯４に巻かれ、前記巻き芯４の径方向に重なる複数の粘着シート５と、を備える。複数の粘着シート５の各々は巻き芯４の中心軸方向の寸法よりも短い幅、及び幅に直交する長さを有し、粘着シート５の長さに沿う方向が中心軸を中心に螺旋状に延びた粘着ロール体３である。各粘着シート５は、幅方向の一方の端縁部である第一端縁部５１と、幅方向の他方の端縁部である第二端縁部５２と、第一端縁部５１と前記第二端縁部５２との間に位置する中間部５４と、を有する。各粘着シート５は、巻かれた状態において、前記中心軸方向に並ぶ第一端縁部５１と第二端縁部５２との間に隙間３１がある。第一端縁部５１の色と中間部５４の色とは、異なる色に形成されている。
【００５８】
この態様によれば、最も外側の粘着シート５を、粘着ロール体３からめくろうとする際に、粘着シート５の縁が一見して把握しやすいため、ユーザの作業性を向上することができる。また、この態様によれば、積層された粘着シート５同士は、ミシン目を介してつながっているのではなく、あらかじめ切り離されているため、紙紛等が生じにくい。
【００５９】
第２の態様に係る粘着ロール体３では、第１の態様において、第二端縁部５２の色と中間部５４の色とは、異なる色である。
【００６０】
この態様によれば、隙間３１に対する左右方向のいずれの縁においても目立つため、ユーザは、一層作業性よく、めくることができる。
【００６１】
第３の態様に係る粘着ロール体３では、第２の態様において、第一端縁部５１の色と第二端縁部５２の色とは、互いに同じ色である。
【００６２】
この態様によれば、一のシートから複数の粘着シート５を切り出す際に、帯状の着色部の幅方向の中間部５４を切断するだけで、複数の粘着シート５を成形することができる。このため、この態様によれば、粘着シート５の製造性を向上させることができる。
【００６３】
第４の態様に係る粘着ロール体３では、第１〜３のいずれか１つの態様において、第一端縁部５１、第二端縁部５２及び中間部５４の色の色相は、１００分割マンセル色相環において、５ＰＢ±３６°の角度の範囲内にある。
【００６４】
この態様によれば、粘着シート５から生じた破片や紙粉等の食品等への混入が判別しやすい。
【００６５】
第５の態様に係る粘着ロール体３では、第１〜４のいずれか１つの態様において、巻き芯４が合成樹脂製である。
【００６６】
この態様によれば、巻き芯４に由来する紙紛の発生を抑えることができる。
【００６７】
第６の態様に係る粘着ロール体３では、第１〜５のいずれか１つの態様において、複数の粘着シート５が合成樹脂製の基材フィルムを含む。
【００６８】
この態様によれば、粘着シート５に由来する紙紛の発生を抑えることができる。
【００６９】
第２〜第６の態様に係る構成については、粘着ロール体３に必須の構成ではなく、適宜省略可能である。
【符号の説明】
【００７０】
２        ホルダ
３        粘着ロール体
４        巻き芯
５        粘着シート
５１      第一端縁部
５２      第二端縁部
５４      中間部
【図１】
2020188867.tif 000003
【図２】
2020188867.tif 000004
【図３】
2020188867.tif 000005
【図４】
2020188867.tif 000006
【図５】
2020188867.tif 000007
【図６】
2020188867.tif 000008